(57)【要約】【解決手段】使用者は、ねじ式ジャッキ３によりボール１１の高さＨを調節した後に、ボール１１から任意距離だけ離れて立つ。ボール１１をバットにより打撃すると、可動体８が支持台１に対し打撃力に応じた範囲で回動して傾く。その場合、可動体８の重錘部が打撃力に対する抵抗力として働き、打撃力が強いほど可動体８の傾動角度も大きくなり、ボール１１に対しバットを正確な方向及び位置で当てないと打撃力が弱くなって可動体８の傾動角度も小さくなる。【効果】使用者は、自宅等で、可動体８の傾動角度を観察しながら訓練すると、重錘部により打撃力の強化につながるとともに、正確なスイングを習得することができる。従って、自宅等における打撃訓練により、打撃向上に役立つ。【選択図】図１
2004141348.tif 000002
【特許請求の範囲】
【請求項１】
ボールを有する可動体を支持台に対し回動支持部で想定立設面に沿って回動可能に支持したボール打撃訓練具において、この回動支持部における回動中心線を境にして、その回動中心線よりも上方で可動体にボールを設け、その回動中心線よりも下方で可動体に打撃抵抗部を設けたことを特徴とするボール打撃訓練具。
【請求項２】
前記打撃抵抗部は、可動体に設けた重錘部であることを特徴とする請求項１に記載のボール打撃訓練具。
【請求項３】
前記支持台は、前記可動体を前記回動支持部で想定立設面に沿って回動可能に支持した昇降部を備えていることを特徴とする請求項１または請求項２に記載のボール打撃訓練具。
【請求項４】
前記回動支持部に対し前記可動体を着脱可能に支持する連結部を備えていることを特徴とする請求項１または請求項２または請求項３に請求項に記載のボール打撃訓練具。
【請求項５】
前記可動体は、前記回動支持部で前記支持台に対し想定立設面に沿って回動可能に支持された基部と、この基部に取着されるとともに前記ボールを有する支柱とを備え、この基部に前記打撃抵抗部を設けるとともに、この支柱にはこの基部に対する角度が変化するように複数の想定立設面に沿って傾動し得る弾性可撓部を設けたことを特徴とする請求項１から請求項４のうちいずれかの請求項に記載のボール打撃訓練具。
【請求項６】
前記基部に対し前記支柱を着脱可能に支持する連結部を備えていることを特徴とする請求項５に記載のボール打撃訓練具。
【請求項７】
前記支柱内に補強可撓索を設けたことを特徴とする請求項５または請求項６に記載のボール打撃訓練具。
【請求項８】
前記可動体がボールに対する打撃により一定範囲内で回動するように規制するストッパを設けたことを特徴とする請求項１から請求項７のうちいずれかの請求項に記載のボール打撃訓練具。
【発明の詳細な説明】
【０００１】
【発明の属する技術分野】
本発明は、野球やソフトボールなどの球技において、一定位置で支持されたボールをバット等により打撃する訓練具に関するものである。
【０００２】
【従来の技術】
従来、野球やソフトボールにおいて自宅等で打撃訓練をする場合、バットの素振りをしたりゴムタイヤをバットにより打撃したりするほか、ゴム支柱上に取着されて一定位置で支持されたボールをバットにより打撃することも一般的に行われている。
【０００３】
【発明が解決しようとする課題】
ゴム支柱上のボールをバットにより打撃する訓練は、ボールに対しバットを正確な方向及び位置で当てる訓練に役立つが、打撃力の強化という面では欠点があった。
【０００４】
この発明は、自宅等における打撃訓練により、打撃力の強化につながるとともに、正確なスイングを習得することができ、打撃向上に役立つボール打撃訓練具を提供することを目的としている。
【０００５】
【課題を解決するための手段及び発明の効果】
後記実施形態の図面（図１及び図２（ａ）に示す第一実施形態、図２（ｂ）に示す第一実施形態の別例、図３及び図４（ａ）に示す第二実施形態、図４（ｂ）に示す第二実施形態の別例）の符号を援用して本発明を説明する。
【０００６】
＊　請求項１の発明
この発明にかかるボール打撃訓練具は、下記のように構成されている。
このボール打撃訓練具においては、ボール（１１）を有する可動体（８）を支持台（１）に対し回動支持部（軸受部４及び受け体５、軸受部２０及び軸部２１）で想定立設面（Ｐ）に沿って回動可能に支持している。この可動体（８）の回動方向を含む想定立設面（Ｐ）は、一つでも複数でもよい。この回動支持部（４，５，２０，２１）における回動中心線（６ａ，２１ａ）を境にして、その回動中心線（６ａ，２１ａ）よりも上方で可動体（８）にボール（１１）を設け、その回動中心線（６ａ，２１ａ）よりも下方で可動体（８）に打撃抵抗部（例えば重錘部１４）を設けている。例えば、打撃抵抗部は、請求項２の発明以外に、ばねなどの弾性体であってもよい。
【０００７】
この発明では、ボール（１１）をバット等により打撃すると、可動体（８）が支持台（１）に対し打撃力に応じた範囲で回動して傾く。その場合、可動体（８）の打撃抵抗部（１４）が打撃力に対する抵抗力として働き、打撃力が強いほど可動体（８）の傾動角度も大きくなり、ボール（１１）に対しバット等を正確な方向及び位置で当てないと打撃力が弱くなって可動体（８）の傾動角度も小さくなる。使用者は、自宅等で、可動体（８）の傾動角度を観察しながら訓練すると、打撃抵抗部（１４）により打撃力の強化につながるとともに、正確なスイングを習得することができる。従って、自宅等における打撃訓練により、打撃向上に役立つ。さらに、可動体（８）を支持台（１）に対し安定性良く支持することができる。
【０００８】
＊　請求項２の発明
この発明において、請求項１の発明にかかる打撃抵抗部は、可動体（８）に設けた重錘部（１４）である。この発明では、打撃抵抗部の構造を簡単にすることができる。
【０００９】
＊　請求項３の発明
この発明において、請求項１または請求項２の発明にかかる支持台（１）は、前記可動体（８）を前記回動支持部（４，５，２０，２１）で想定立設面（Ｐ）に沿って回動可能に支持した昇降部（３）を備えている。この発明では、昇降部（３）により、ボール（１１）の高さ（Ｈ）を使用者に合わせて調節すれば、使用者に適した打撃訓練を行うことができ、より一層打撃向上に役立つ。
【００１０】
＊　請求項４の発明
この発明において、請求項１または請求項２または請求項３の発明にかかる回動支持部（４，５，２０，２１）に対し前記可動体（８）を着脱可能に支持する連結部（連結軸７及び連結管１２、雄ねじ部７ａ，２２ａ及び雌ねじ部１７、軸受部２０及び軸部２１）を備えている。この発明では、ボール（１１）の高さ（Ｈ）や打撃抵抗部（１４）の打撃抵抗力などが異なる可動体（８）に交換すれば、使用者に適した打撃訓練を行うことができ、より一層打撃向上に役立つ。
【００１１】
＊　請求項５の発明
この発明は、請求項１から請求項４のうちいずれかの請求項を前提として下記のように構成されている。
【００１２】
前記可動体（８）は、前記回動支持部（４，５，２０，２１）で前記支持台（１）に対し想定立設面（Ｐ）に沿って回動可能に支持された基部（９）と、この基部（９）に取着されるとともに前記ボール（１１）を有する支柱（１０）とを備えている。この基部（９）に前記打撃抵抗部（１４）を設けている。この支柱（１０）にはこの基部（９）に対する角度が変化するように複数の想定立設面（Ｐ）に沿って傾動し得る弾性可撓部（１０）を設けている。請求項５の発明にかかる連結部（１２，１７，７ａ，２２ａ，１７）はこの基部（９）に設けられている。
【００１３】
この発明では、ボール（１１）をバット等により打撃すると、可動体（８）の支柱（１０）が打撃方向に応じて弾性可撓部（１０）で複数の想定立設面（Ｐ）に沿って若干撓んだ後に復帰する。弾性可撓部（１０）が撓んでも、打撃力が可動体（８）の基部（９）に伝わって可動体（８）の全体が支持台（１）に対し回動して傾く。その場合、支柱（１０）の撓み向きを観察しながら訓練すると、打球向きも想定することができる。従って、打球方向も考慮した正確なスイングを習得して、より一層打撃向上に役立つ。
【００１４】
＊　請求項６の発明
この発明において、請求項５の発明にかかる基部（９）に対し前記支柱（１０）を着脱可能に支持する連結部（支柱１０の下端部１０ａ及び連結管１３、雄ねじ部７ａ，２２ａ及び雌ねじ部１７）を備えている。この発明では、ボール（１１）の高さ（Ｈ）や弾性可撓部（１０）の弾性度合などが異なる支柱（１０）に交換すれば、使用者に適した打撃訓練を行うことができ、より一層打撃向上に役立つ。
【００１５】
＊　請求項７の発明
この発明においては、請求項５または請求項６の発明にかかる支柱（１０）内に補強可撓索（ワイヤ１５）を設けている。例えば、この支柱（１０）内の補強可撓索（１５）は、前記基部（９）に挿着された連結棒（連結軸７、雄ねじ棒２２）に対し着脱可能に連結されている。この発明では、支柱（１０）の強度を高めることができる。
【００１６】
＊　請求項８の発明
この発明においては、請求項１から請求項７のうちいずれかの請求項の発明にかかる可動体（８）がボール（１１）に対する打撃により一定範囲内で回動するように規制するストッパ１８（弾性伸縮索）を設けている。この発明では、打撃力と比較して打撃抵抗部（１４）の抵抗力を小さくし過ぎた場合、可動体（８）の回動範囲を規制して使用者に安心感を与えることができる。
【００１７】
＊　第９の発明
この発明において、請求項１から請求項８のうちいずれかの請求項の発明にかかる打撃抵抗部（１４）は、打撃抵抗力を変更し得る。例えば、図２（ｂ）または図４（ｂ）に示すように打撃抵抗部が重錘部（１４）である場合にはその重錘部（１４）の量を変えて重量を変更し、打撃抵抗部がばねなどの弾性体である場合にはその弾性体の弾性力を調節可能にする。この発明では、打撃抵抗部（１４）の打撃抵抗力を使用者の打撃力に応じて変更すれば、使用者に適した打撃訓練を行うことができ、より一層打撃向上に役立つ。
【００１８】
【発明の実施の形態】
〔第一実施形態〕
まず、本発明の第一実施形態にかかるボール打撃訓練具について図１及び図２（ａ）を参照して説明する。
【００１９】
支持台１においては台板２上の前後両側に既存のねじ式ジャッキ３（昇降部）が取り付けられている。この前後両ねじ式ジャッキ３上に取着された軸受部４（回動支持部）には、前後両ねじ式ジャッキ３間でＵ状に形成された受け体５（回動支持部）の両端部の軸部６が一つの想定立設面Ｐに沿って回動可能に支持されている。この受け体５の中央部には連結軸７（連結部）が挿入されて立設されている。
【００２０】
可動体８は分割可能な球状の基部９と支柱１０とを備え、この支柱１０上にボール１１が設けられている。この基部９の下側には連結管１２（連結部）が挿着されている。この連結管１２に前記連結軸７が着脱可能に挿入されて基部９が受け体５上に載置される。この基部９の上側にも連結管１３（連結部）が挿着されている。この連結管１３に前記支柱１０の下端部１０ａ（連結部）が着脱可能に挿入されてこの支柱１０が基部９の上方へ突出する。
【００２１】
前記基部９内には前記受け体５の両軸部６の回動中心線６ａよりも下方でコンクリートや金属などが入れ込まれて重錘部１４（打撃抵抗部）になっている。前記支柱１０上のボール１１はこの回動中心線６ａよりも上方にある。なお、コンクリートや金属などは、両軸部６の回動中心線６ａよりも上方までも入れ込んでもよいが、可動体８の重心が両軸部６の回動中心線６ａよりも下方に位置していることが重要である。
【００２２】
前記支柱１０（弾性可撓部）は、硬質ゴムにより、ボール１１とともに一体成形され、支柱１０の周囲３６０度の範囲で想定立設面Ｐに沿って若干撓み得る。
なお、この支柱１０上で分離されたボール１１を取着してもよい。この支柱１０内にはワイヤ１５（補強可撓索）が埋設され、このワイヤ１５の上端部に設けられた連結部１６がボール１１内に埋設されているとともに、このワイヤ１５の下端部に設けられた雌ねじ部１７（連結部）が前記支柱１０の下端部１０ａ内に埋設されている。前記連結軸７の上端部に設けられた雄ねじ部７ａ（連結部）がこの雌ねじ部１７に螺合されている。この連結軸７の雄ねじ部７ａをこの雌ねじ部１７から外すと、この連結軸７を前記連結管１２から抜いて前記受け体５と基部９とを互いに分離することができるとともに、この支柱１０の下端部１０ａを前記連結管１３から抜いて基部９と支柱１０とを互いに分離することができる。
【００２３】
使用者は、前後両ねじ式ジャッキ３によりボール１１の高さＨを調節した後に、ボール１１から任意距離だけ離れて立つ。使用者がボール１１をバットにより打撃すると、可動体８の支柱１０が打撃方向に応じた想定立設面Ｐに沿って若干撓んだ後に復帰するとともに、打撃力が可動体８の基部９に伝わって可動体８の全体が支持台１に対し打撃力に応じた範囲で回動して傾く。その場合、可動体８の重錘部１４が打撃力に対する抵抗力として働く。台板２の両側と受け体５との間に連結された両弾性伸縮索１８（ストッパ）は、可動体８の傾動範囲を規制するとともに、打撃力に応じて伸縮して打撃力に対する抵抗力としても働く。
【００２４】
〔第一実施形態の別例〕
次に、第一実施形態の別例について第一実施形態との相違点を中心に図２（ｂ）を参照して説明する。
【００２５】
基部９の下半部においては、基部９の上半部の下側に取着された連結管１２（連結部）に複数の重錘部１４（打撃抵抗部）が挿嵌され、この連結管１２の外周の雄ねじ部１９ａに雌ねじ部１９ｂが螺合されてこの各重錘部１４が基部９の上半部に対し着脱可能に固定されている。この重錘部１４の枚数を変えてその重量を調節すると、打撃抵抗力を変更することができる。
【００２６】
〔第二実施形態〕
次に、本発明の第二実施形態にかかるボール打撃訓練具について第一実施形態との相違点を中心に図３及び図４（ａ）を参照して説明する。
【００２７】
この第二実施形態においては、第一実施形態における受け体５が省略され、前後両ねじ式ジャッキ３上に取着された軸受部２０（回動支持部）には、基部９の両側に取着された軸部２１（回動支持部）が一つの想定立設面Ｐに沿って回動可能に支持されている。この軸受部２０は半割り状に形成され、この軸受部２０（連結部）に対しこの軸部２１（連結部）が着脱可能に載置されている。基部９内には両軸部２１の回動中心線２１ａよりも下方でコンクリートや金属などが入れ込まれて重錘部１４（打撃抵抗部）になっている。支柱１０上のボール１１はこの回動中心線２１ａよりも上方にある。
【００２８】
〔第二実施形態の別例〕
次に、第二実施形態の別例について第二実施形態との相違点を中心に図４（ｂ）を参照して説明する。
【００２９】
基部９の下半部においては、基部９の上半部の下側に取着された雄ねじ棒２２に複数の重錘部１４（打撃抵抗部）が挿嵌され、この雄ねじ棒２２に雌ねじ部２３が螺合されてこの各重錘部１４が基部９の上半部に対し着脱可能に固定されている。この重錘部１４の枚数を変えてその重量を調節すると、打撃抵抗力を変更することができる。この雄ねじ棒２２の上端部に設けられた雄ねじ部２２ａ（連結部）が前記雌ねじ部１７（連結部）に螺合されている。
【００３０】
〔そのほかの別例〕
＊　図示しないが、前記打撃抵抗部として、第一実施形態及びその別例並びに第二実施形態及びその別例における基部９の重錘部１４に代えて、基部と支持台との間に圧縮コイルばねを介在させてもよい。その場合、圧縮コイルばねの弾性力を調節可能にしたり、圧縮コイルばねを交換可能にしたりして、打撃抵抗力を変更することができる。
【００３１】
＊　図示しないが、前記昇降部として、第一実施形態及びその別例並びに第二実施形態及びその別例における前後両ねじ式ジャッキ３に代えて、前後両ブラケットに上下方向へ複数の支持孔を設け、相対向する前後両支持孔のうち任意の前後両支持孔に基部の両軸部を回動可能に支持してボールの高さを調節する。
【００３２】
＊　図示しないが、支持台の昇降部に対し可動体を玉継手などの自在継手により回動可能に支持してもよい。
【図面の簡単な説明】
【図１】（ａ）は第一実施形態にかかるボール打撃訓練具を示す正面図であり、（ｂ）は同じく側面図である。
【図２】（ａ）は第一実施形態にかかるボール打撃訓練具を正面側から見た部分断面図であり、（ｂ）は第一実施形態の別例を示す部分断面図である。
【図３】（ａ）は第二実施形態にかかるボール打撃訓練具を示す正面図であり、（ｂ）は同じく側面図である。
【図４】（ａ）は第二実施形態にかかるボール打撃訓練具を正面側から見た部分断面図であり、（ｂ）は第二実施形態の別例を示す部分断面図である。
【符号の説明】
１…支持台、３…ねじ式ジャッキ（昇降部）、４…軸受部（回動支持部）、５…受け体（回動支持部）、６…軸部、６ａ…回動中心線、７…連結軸（連結部）、７ａ…雄ねじ部（連結部）、８…可動体、９…基部、１０…支柱（弾性可撓部）、１０ａ…支柱下端部（連結部）、１１…ボール、１２…連結管（連結部）、１３…連結管（連結部）、１４…重錘部（打撃抵抗部）、１７…雌ねじ部（連結部）、２０…軸受部（回動支持部、連結部）、２１…軸部（回動支持部、連結部）、２１ａ…回動中心線、２２ａ…雄ねじ部（連結部）、Ｐ…想定立設面。
【図１】
2004141348.tif 000003
【図２】
2004141348.tif 000004
【図３】
2004141348.tif 000005
【図４】
2004141348.tif 000006